(57)【要約】      （修正有）【課題】突出した容器の口部を１枚のフラットな熱収縮性フィルムによって封緘することができる封緘装置を提供する。【解決手段】封緘装置４０は、封緘位置で停止しているビア樽Ｂの口部ＭＰの上面に、フラットな２軸延伸フィルムからなる封緘材Ｓを載置した状態で加熱ヘッド４４を降下させ、ビア樽Ｂの口部ＭＰの外側周辺部に加熱ヘッド４４を押し付けるように、加熱ヘッド４４をビア樽Ｂの口部ＭＰに被嵌した状態で、加熱ヘッド４４の蒸気吐出孔から飽和水蒸気を吹き出すことによって、封緘材Ｓを加熱収縮させるようになっており、封緘材Ｓを加熱収縮させる際は、封緘材移送装置３０の吸引ヘッド３４がビア樽Ｂの口部ＭＰの上面に載置した封緘材Ｓを上方から押える。【選択図】図７
2013082470.tif 000002
【特許請求の範囲】
【請求項１】
フラットな熱収縮性フィルムからなる封緘材を用いて、突出した容器の口部を覆うことで、容器の口部を封緘する封緘装置であって、
容器の口部上面に載置した封緘材の口部上面に対応する部分を上方から押えるフィルム押え手段と、
容器の口部上面に載置した封緘材を、前記フィルム押え手段によって押えた状態で加熱する加熱手段とを備え、
前記加熱手段は、容器の口部に被せる加熱ヘッドを有し、飽和水蒸気、過熱水蒸気または熱風によって、熱収縮性フィルムを加熱するようになっていることを特徴とする封緘装置。
【請求項２】
前記加熱ヘッドは、容器の口部に被せたときに、容器の口部上面に載置された封緘材における口部上面から外側に張り出した部分を下方側に撓ませる規制部を有している請求項１に記載の封緘装置。
【請求項３】
フラットな熱収縮性フィルムからなる封緘材を用いて、突出した容器の口部を覆うことで、容器の口部を封緘する封緘システムであって、
封緘材を封緘材供給位置に供給する封緘材供給装置と、
封緘位置に停止させながら、容器を間欠的に搬送する容器搬送装置と、
前記封緘材供給装置によって封緘材供給位置に供給された封緘材を封緘位置に搬送されてきた容器の口部上面に載置する封緘材移送装置と、
封緘位置において、容器の口部上面に載置された封緘材を用いて、容器の口部を包み込むように、口部を封緘する封緘装置とを備え、
前記封緘装置は、
容器の口部上面に載置した封緘材の口部上面に対応する部分を上方から押えるフィルム押え手段と、
容器の口部上面に載置した封緘材を、前記フィルム押え手段によって押えた状態で加熱する加熱手段とを備えていることを特徴とする封緘システム。
【請求項４】
前記封緘材移送装置は、封緘材供給位置に供給された封緘材の上面を吸引保持した状態で封緘位置まで移送する吸引ヘッドを備えており、
前記フィルム押え手段は、前記封緘材移送装置の前記吸引ヘッドによって構成されている請求項３に記載の封緘システム。
【発明の詳細な説明】
【技術分野】
【０００１】
この発明は、突出した容器の口部を覆うように、フラットな熱収縮性フィルムを装着することで、容器の口部を封緘することができる封緘装置に関する。
【背景技術】
【０００２】
例えば、図９に示すように、ビールが充填されたビア樽Ｂは、その口部ＭＰに熱収縮性フィルムによって形成されたキャップシールを装着した状態で出荷される。
【０００３】
ビア樽の口部に装着されるキャップシールとしては、例えば、図１０に示すようなものがある。このキャップシールＣＳは、紙等によって形成された円形状の天板ｐと、熱収縮性フィルムによって形成された円筒状の胴部ｂとから構成されており、胴部ｂの上端部を予備的に熱収縮させることで、天板ｐの上面周縁部に巻き込んだ状態で、その巻込み部分が天板ｐに接着固定されている。
【０００４】
従って、こういったキャップシールＣＳをビア樽Ｂの口部ＭＰに装着するには、図１１に示すように、搬送されてくるビア樽Ｂの口部ＭＰにキャップシールＣＳを１個づつ被嵌した後、熱収縮性フィルムによって形成された胴部ｂを加熱収縮させることによって、キャップシールＣＳを口部に密着させることになる。
【先行技術文献】
【特許文献】
【０００５】
【特許文献１】特許第３８５４３５２号公報
【特許文献２】特許第４６５２９００号公報
【発明の概要】
【発明が解決しようとする課題】
【０００６】
しかしながら、上述したような成形品であるキャップシールＣＳを製造するには、手間とコストがかかるので、上述したような成形品ではなく、１枚のフラットな熱収縮性フィルムによって突出した容器の口部を覆うように、熱収縮性フィルムを装着することで容器の口部を封緘することが望まれている。
【０００７】
そこで、この発明の課題は、突出した容器の口部を１枚のフラットな熱収縮性フィルムによって封緘することができる封緘装置及び封緘システムを提供することにある。
【課題を解決するための手段】
【０００８】
上記の課題を解決するため、請求項１に係る発明は、フラットな熱収縮性フィルムからなる封緘材を用いて、突出した容器の口部を覆うことで、容器の口部を封緘する封緘装置であって、容器の口部上面に載置した封緘材の口部上面に対応する部分を上方から押えるフィルム押え手段と、容器の口部上面に載置した封緘材を、前記フィルム押え手段によって押えた状態で加熱する加熱手段とを備え、前記加熱手段は、容器の口部に被せる加熱ヘッドを有し、飽和水蒸気、過熱水蒸気または熱風によって、熱収縮性フィルムを加熱するようになっていることを特徴とする封緘装置を提供するものである。
【０００９】
また、請求項２に係る発明は、請求項１に係る発明の封緘装置において、前記加熱ヘッドは、容器の口部に被せたときに、容器の口部上面に載置された封緘材における口部上面から外側に張り出した部分を下方側に撓ませる規制部を有していることを特徴としている。
【００１０】
また、請求項３に係る発明は、フラットな熱収縮性フィルムからなる封緘材を用いて、突出した容器の口部を覆うことで、容器の口部を封緘する封緘システムであって、封緘材を封緘材供給位置に供給する封緘材供給装置と、封緘位置に停止させながら、容器を間欠的に搬送する容器搬送装置と、前記封緘材供給装置によって封緘材供給位置に供給された封緘材を封緘位置に搬送されてきた容器の口部上面に載置する封緘材移送装置と、封緘位置において、容器の口部上面に載置された封緘材を用いて、容器の口部を包み込むように、口部を封緘する封緘装置とを備え、前記封緘装置は、容器の口部上面に載置した封緘材の口部上面に対応する部分を上方から押えるフィルム押え手段と、容器の口部上面に載置した封緘材を、前記フィルム押え手段によって押えた状態で加熱する加熱手段とを備えていることを特徴とする封緘システムを提供するものである。
【００１１】
また、請求項４に係る発明は、請求項３に係る発明の封緘装置において、前記封緘材移送装置は、封緘材供給位置に供給された封緘材の上面を吸引保持した状態で封緘位置まで移送する吸引ヘッドを備えており、前記フィルム押え手段は、前記封緘材移送装置の前記吸引ヘッドによって構成されていることを特徴としている。
【発明の効果】
【００１２】
以上のように、請求項１に係る発明の封緘装置及び請求項３に係る発明の封緘システムは、容器の口部上面に載置したフラットな熱収縮性フィルムからなる封緘材を、フィルム押え手段によって押えた状態で、加熱手段によって加熱するようになっているので、封緘材における容器の口部から外側に張り出した部分が口部周面に回り込むように熱収縮されると共に、熱収縮する際に封緘材が浮き上がることがなく、封緘材が口部の上面及び周面を覆うように綺麗に装着された状態で、容器の口部が封緘される。従って、従来のように、紙等によって形成された円形状の天板と、熱収縮性フィルムによって形成された円筒状の胴部とから構成される成形品のキャップシールを用いて容器の口部を封緘する場合に比べて、低コストで封緘することができる。
【００１３】
特に、請求項１に係る発明の封緘装置では、加熱ヘッドを容器の口部に被せて封緘材を囲った状態で局所的に加熱するようにしたので、加熱効率が良く、特に、熱容量の大きい飽和水蒸気や過熱水蒸気によって加熱すると、温風等で加熱する場合に比べて、低い加熱温度で、短時間に封緘材を熱収縮させることができる。このため、封緘材の印刷層へのダメージが少なく、綺麗に仕上げることができると共に、容器を一旦停止させた状態で封緘処理を行う間欠運転を行っても、必要かつ十分な処理速度を確保することができるという効果が得られる。
【００１４】
また、請求項２に係る発明の封緘装置は、加熱ヘッドが、容器の口部に被せたときに、容器の口部上面に載置された封緘材における口部上面から外側に張り出した部分を下方側に撓ませる規制部を有しているので、容器の口部が加熱ヘッドによって被嵌されると、その規制部によって、封緘材における容器の口部からの張出部分が下方側に撓んだ状態となり、その状態で封緘材が加熱されるので、封緘材における容器の口部からの張出部分が、口部の周面に確実に回り込むように熱収縮される。
【００１５】
特に、請求項４に係る発明の封緘システムでは、封緘材移送装置の吸引ヘッドが封緘装置のフィルム押え手段としての機能を兼ね備えているので、封緘材を容器の口部上面に載置すると同時に封緘材を押えることができ、封緘処理に要する時間を短縮することができると共に、独立したフィルム押え手段を別途設ける必要がないので、封緘装置自体を簡素化することができる。
【図面の簡単な説明】
【００１６】
【図１】この発明に係る封緘システムの一実施形態を示す平面図である。
【図２】同上の封緘システムを構成している封緘材供給装置を示す側面図である。
【図３】同上の封緘システムを構成しているビア樽搬送装置を示す断面図である。
【図４】同上の封緘システムにおける封緘位置を示す部分断面図である。
【図５】同上の封緘システムを構成している封緘材移送装置を示す平面図である。
【図６】同上の封緘装置を構成している加熱手段を示す拡大断面図である。
【図７】同上の封緘装置における封緘材の加熱状態を示す部分断面図である。
【図８】（ａ）は同上の封緘システムに適用されるビア樽を示す平面図、（ｂ）は同上のビア樽を示す一部切欠断面図である。
【図９】成形品であるキャップシールによって口部が封緘されたビア樽を示す部分断面図である。
【図１０】（ａ）は同上のキャップシールを示す平面図、（ｂ）は同上のキャップシールを示す縦断面図である。
【図１１】同上のキャップシールをビア樽の口部に被嵌した状態を示す部分断面図である。
【発明を実施するための形態】
【００１７】
以下、実施の形態について図面を参照して説明する。図１は、図８（ａ）、（ｂ）に示すように、外周壁部が口部ＭＰの上面よりも高く形成されたビア樽Ｂの口部ＭＰを、熱収縮性を有する２軸延伸フィルムからなるフラットな四角形の封緘材Ｓによって封緘するための封緘システム１を示しており、この封緘システム１は、同図に示すように、２軸延伸フィルムからなる長尺帯状の封緘材形成基材ＳＭから封緘材Ｓを順次形成しながら、封緘材供給位置αに供給する封緘材供給装置１０と、封緘位置βに停止させながら、ビア樽Ｂを間欠的に搬送するビア樽搬送装置２０と、封緘材供給装置１０によって封緘材供給位置αに供給された封緘材Ｓを封緘位置βに移送する封緘材移送装置３０と、封緘位置βに搬送された封緘材Ｓを用いて、ビア樽Ｂの口部ＭＰを包み込むように、口部ＭＰを封緘する封緘装置４０とを備えている。なお、封緘材Ｓは、厚さが３０μｍ、熱収縮率が５２％のポリエチレンテレフタレートフィルムによって形成されており、正方形である封緘材Ｓの中央部には、ビア樽Ｂの口部ＭＰの天面部分を覆うような円形状のデザイン印刷が施されている。
【００１８】
前記封緘材供給装置１０は、図１及び図２に示すように、封緘材形成基材ＳＭを連続的に送出する連続送出ユニット１１と、この連続送出ユニット１１によって連続的に送出されてくる封緘材形成基材ＳＭを蓄えるアキュムレータ１２と、このアキュムレータ１２の下流側に配設された、封緘材形成基材ＳＭに所定ピッチで開封用のミシン目を形成するミシン目形成ユニット１３と、ミシン目が形成された封緘材形成基材ＳＭを所定のカットピッチで間欠的に送出する間欠送出ユニット１４と、ミシン目が形成された封緘材形成基材ＳＭを所定のカットピッチで順次切断することで、封緘材Ｓを形成する切断ユニット１５と、形成された封緘材Ｓを封緘材供給位置αに間欠的に搬送するベルト搬送ユニット１６と、カットピッチを調整するために封緘材形成基材ＳＭに所定ピッチで印刷された柄やポイントマーク等を検出するマークセンサ１７と、切断位置に対するミシン目の位置を調整するミシン目位置調整ユニット１８とを備えており、ミシン目形成ユニット１３とミシン目位置調整ユニット１８との間に配設された繋ぎ目検出ユニット１９によって、封緘材形成基材ＳＭの繋ぎ目を検出することで、繋ぎ目部分に対応する封緘材Ｓは自動的に排出されるようになっている。
【００１９】
前記ビア樽搬送装置２０は、図１及び図３に示すように、封緘位置βを通過するように、ビア樽Ｂを連続的に搬送する搬送コンベア２１と、この搬送コンベア２１によって連続的に搬送されてくるビア樽Ｂを、封緘位置βで一時的に停止させるストッパユニット２２とを備えている。
【００２０】
前記ストッパユニット２２は、搬送コンベア２１の両側部に配設された一対の回動アーム２３と、この回動アーム２３の先端部に回転可能にそれぞれ支持されたローラ部材２４とから構成されており、一対の回動アーム２３がビア樽Ｂの搬送経路側に回動して、一対のローラ部材２４がビア樽Ｂの胴部周面に当接することで、ビア樽Ｂを、封緘位置βで一時的に停止させるようになっている。
【００２１】
前記封緘材移送装置３０は、図１、図４及び図５に示すように、封緘材供給装置１０とビア樽搬送装置２０との間に配設され、支持軸ＳＳに回転可能に支持され、図示しない駆動手段によって回転駆動される円盤状のベース部材３１と、このベース部材３１に配設された一対のシリンダユニット３２と、それぞれのシリンダユニット３２のピストンロッドに取り付けられた、昇降する作動部３２ａに支持されたＬ字状の吸引管３３と、それぞれの吸引管３３の下端部に接続された吸引ヘッド３４と、それぞれの吸引管３３の上端部に、図示しない吸引路を介して接続された図示しない吸引手段とを備えており、吸引ヘッド３４は、その下面がビア樽Ｂの口部ＭＰの上面をほぼ覆う大きさ及び形状を有すると共に、その下面には多数の吸引孔が形成されている。
【００２２】
一対の吸引ヘッド３４は、一方の吸引ヘッド３４が封緘材供給位置αに位置しているときは、他方の吸引ヘッド３４が封緘位置βに位置するようになっており、封緘材供給位置αにおいて、一方の吸引ヘッド３４が降下して、その下面に封緘材Ｓを吸引保持した後、封緘材Ｓを吸引保持している一方の吸引ヘッド３４を上昇させてベース部材３１を１８０度回転させることによって、封緘材Ｓを封緘材供給位置αから封緘位置βに移送し、封緘材Ｓを吸引保持している一方の吸引ヘッド３４を降下させることで、封緘位置βに停止しているビア樽Ｂの口部ＭＰの上面に封緘材Ｓを載置するようになっている。
【００２３】
前記封緘装置４０は、図１、図４及び図６に示すように、封緘材移送装置３０におけるベース部材３１を支持している支持軸ＳＳに固定されたベース部材４１と、このベース部材４１に配設されたシリンダユニット４２と、このシリンダユニット４２のピストンロッドに取り付けられた昇降する作動部４２ａに支持された蒸気供給管４３と、この蒸気供給管４３の下端部に接続された、外壁４５及び内壁４６からなる二重壁によって形成された円形キャップ形状の加熱ヘッド４４と、蒸気供給管４３に、図示しない蒸気供給路を介して接続された図示しない蒸気供給手段と、ビア樽Ｂの口部ＭＰの上面に載置した封緘材Ｓを加熱収縮させる際、封緘材Ｓを上方から押える封緘材押え手段とを備えており、加熱ヘッド４４には、二重壁における外壁４５及び内壁４６に囲まれた空間内に飽和水蒸気が供給されるようになっている。
【００２４】
前記加熱ヘッド４４は、図６に示すように、内壁４６を構成している内周壁４６ａの下部周面に多数の蒸気吐出孔４４ａが形成されており、二重壁によって形成された周面には、封緘材移送装置３０の吸引管３３が嵌り込む切欠部４４ｂが形成されている。
【００２５】
この封緘装置４０は、封緘位置βで停止しているビア樽Ｂの口部ＭＰの上面に封緘材Ｓを載置した状態で加熱ヘッド４４を降下させ、ビア樽Ｂの口部ＭＰの外側周辺部に加熱ヘッド４４を押し付けるように、加熱ヘッド４４をビア樽Ｂの口部ＭＰに被嵌した状態で、加熱ヘッド４４の蒸気吐出孔４４ａから飽和水蒸気を吹き出すことによって、封緘材Ｓを加熱収縮させるようになっており、封緘材Ｓを加熱収縮させる際は、封緘材移送装置３０の吸引ヘッド３４がビア樽Ｂの口部ＭＰの上面に載置した封緘材Ｓを上方から押えるようになっている。従って、この封緘システム１では、封緘材移送装置３０の吸引ヘッド３４が封緘装置４０のフィルム押え手段としての機能を兼ね備えている。
【００２６】
また、封緘材移送装置３０は、封緘材供給装置１０を構成している連続送出ユニット１１、アキュムレータ１２、ミシン目形成ユニット１３、間欠送出ユニット１４、切断ユニット１５、ベルト搬送ユニット１６、マークセンサ１７、ミシン目位置調整ユニット１８及び繋ぎ目検出ユニット１９がそれぞれ取り付けられている支持板１０Ａに固定設置されており、しかも、封緘材供給装置１０は、図示しない操作ハンドルを回転操作することで、全体を昇降させることができるようになっているので、封緘材供給装置１０を昇降させると、それに応じて、封緘材移送装置３０及び封緘材移送装置３０の支持軸ＳＳに固定された封緘装置４０も同時に昇降することになる。従って、高さ（内容量）の異なるビア樽に変更された場合であっても、封緘材供給装置１０の高さ位置を調整することによって、簡単に対応することができる。
【００２７】
以上のように構成された封緘システム１では、上述したように、封緘材供給装置１０によって封緘材供給位置αに供給される封緘材Ｓを、封緘材移送装置３０によって封緘位置βに移送した後、図７に示すように、封緘位置βで停止しているビア樽Ｂの口部ＭＰの上面に封緘材Ｓを載置し、吸引ヘッド３４が封緘材Ｓを口部ＭＰの上面に押さえ付けた状態で、ビア樽Ｂの口部ＭＰが加熱ヘッド４４によって被嵌され、加熱ヘッド４４から吹き出された飽和水蒸気によって加熱されることで、封緘材Ｓにおける口部ＭＰの上面から外側に張り出した部分が口部ＭＰの周面に回り込むように熱収縮し、封緘材Ｓが口部ＭＰの上面及び周面を包み込むように綺麗に装着される。
【００２８】
特に、この封緘システム１では、ビア樽Ｂの口部ＭＰが加熱ヘッド４４によって被嵌される際、封緘材Ｓにおけるビア樽Ｂの口部ＭＰの上面から外側に張り出した部分が、加熱ヘッド４４の内周壁４６ａに接触して下方側に撓んだ状態となり、その状態で封緘材Ｓが加熱されるので、封緘材Ｓにおける口部ＭＰの上面から外側に張り出した部分が、口部ＭＰの周面に確実に回り込むように熱収縮される。
【００２９】
このようにして、封緘材Ｓによるビア樽Ｂの口部ＭＰの封緘が完了すると、図４に示すように、加熱ヘッド４４が上昇した後、吸引ヘッド３４が上昇し、口部ＭＰが封緘されたビア樽Ｂが搬出されると共に、封緘材移送装置３０のベース部材３１が反転することで、次に封緘位置βに搬送されてくるビア樽Ｂの封緘処理に移行する。
【００３０】
このように、吸引ヘッド３４が封緘材Ｓを口部ＭＰの上面に押さえ付けた状態で、ビア樽Ｂの口部ＭＰが加熱ヘッド４４によって被嵌され、加熱ヘッド４４から飽和水蒸気が吹き出されるので、封緘材Ｓと共に吸引ヘッド３４も加熱されることになるが、封緘材Ｓによるビア樽Ｂの口部ＭＰの封緘が完了した後、吸引ヘッド３４が上昇し、次の封緘材Ｓを受け取りに行くまでの間、吸引動作を継続することによって、吸引ヘッド３４が冷却されるので、独立した冷却手段を別途設ける必要はない。なお、独立した冷却手段を別途設けても良いことは言うまでもない。
【００３１】
以上のように、この封緘システム１では、２軸延伸フィルムからなるフラットな封緘材Ｓによって、ビア樽Ｂの口部ＭＰを綺麗に封緘することができるので、従来のように、成形品のキャップシールを封緘材として使用する必要がなく、従来に比べて、低コストで封緘することができる。
【００３２】
また、この封緘システム１では、封緘装置４０が、熱風等に比べて熱容量の大きい飽和水蒸気によって、封緘材Ｓを加熱するようになっているので、熱風等で加熱する場合に比べて、低い加熱温度（１００℃）で、短時間に封緘材を熱収縮させることができ、封緘材の印刷層へのダメージが少なく、綺麗に仕上げることができるという効果が得られる。
【００３３】
特に、この封緘システム１では、封緘材移送装置３０の吸引ヘッド３４が封緘装置４０のフィルム押え手段としての機能を兼ね備えているので、封緘材Ｓをビア樽Ｂの口部ＭＰの上面に載置すると同時に封緘材Ｓを押えることができ、封緘処理に要する時間を短縮することができると共に、独立したフィルム押え手段を別途設ける必要がないので、封緘装置４０自体を簡素化することができる。
【００３４】
また、ビア樽は一般的に寸法精度が悪く、口部ＭＰの高さ位置が変動する可能性があるが、この封緘システム１では、ビア樽Ｂの口部ＭＰに被嵌される加熱ヘッド４４が、シリンダユニット４２によって、ビア樽Ｂの口部ＭＰの外側周辺部に押し付けられるようになっていると共に、吸引ヘッド３４もシリンダユニット３２によって封緘材Ｓを口部ＭＰの上面に押さえ付けるようになっているので、口部ＭＰの高さ位置がある程度の範囲内で変動したとしても、その変動を確実に吸収することができ、寸法精度の悪いビア樽についても十分に対応することができる。
【００３５】
また、ビールが充填されたビア樽は、その表面温度が低いので、熱風で封緘材を加熱収縮させると、加熱時間を長くする必要があり、処理速度を考慮すると、ビア樽を一旦停止させた状態で封緘処理を行う間欠運転を行うことができなかったが、この封緘装置４０では、加熱ヘッド４４をビア樽Ｂの口部に被せて封緘材Ｓを囲った状態で、熱容量の大きい飽和水蒸気によって局所的に加熱するようにしたので、加熱時間を短くすることができ、間欠運転を行っても、必要かつ十分な処理速度を確保することができる。
【００３６】
また、ビア樽は、上述したように、外周壁部が口部の上面よりも高くなっているので、従来のように、口部にキャップシールを被嵌したビア樽を停止させることなく、連続的に搬送しながら封緘処理を行おうとすると、例えば、搬送中のビア樽の口部に被嵌したキャップシールの天面部分に鎖等の押え部材を垂らすことによってキャップシールを押えながら加熱収縮させることになり（特許文献１参照）、キャップシールの天面部分に傷が付くおそれがあるが、この封緘システム１では、ビア樽を一旦停止させた状態で封緘処理を行う間欠運転を採用しているので、ビア樽の口部ＭＰの上面に載置した封緘材Ｓを押えても傷が付くことがないという利点もある。
【００３７】
なお、上述した実施形態では、上面に封緘材Ｓを載置した口部ＭＰに加熱ヘッド４４を被嵌する際、封緘材Ｓにおける口部ＭＰの上面から外側に張り出した部分を、加熱ヘッド４４の内周壁４６ａに接触させることによって、強制的に下方側に撓ませるようにしているが、これに限定されるものではなく、封緘材Ｓの張出部分を下方側に撓ませる規制部を加熱ヘッド４４に別途設ける構成を採用することも可能である。
【００３８】
また、上面に封緘材Ｓを載置した口部ＭＰに加熱ヘッド４４を被嵌した状態で、封緘材Ｓが加熱ヘッド４４に接触していなくても、即ち、封緘材Ｓにおける口部ＭＰの上面から外側に張り出した部分を強制的に下方側に撓ませなくても、加熱ヘッド４４から吹き出された飽和水蒸気によって加熱されることで、封緘材Ｓにおける口部ＭＰの上面から外側に張り出した部分が口部ＭＰの周面に回り込むように熱収縮し、口部ＭＰの上面及び周面を包み込むように封緘材Ｓを装着することができるので、上述した規制部は必ずしも設ける必要はない。
【００３９】
また、上述した実施形態では、封緘装置４０が飽和水蒸気によって封緘材Ｓを加熱収縮させているが、これに限定されるものではなく、過熱水蒸気や熱風等によって封緘材を加熱収縮させることも可能である。
【００４０】
特に、過熱水蒸気は、
１）供給温度が１００℃である飽和水蒸気とは異なり、供給温度を１００℃以上で自由    に設定することができる
２）加熱空気に比べて熱容量が大きいので、同一温度の加熱空気によって加熱する場合    に比べて、被加熱物を急速に加熱することができる
３）加熱空気の場合は対流によって熱伝達されるだけであるが、過熱水蒸気の場合は対    流、放射及び凝縮によって複合的に熱伝達され、しかも、対流による熱伝達も、加熱    空気の１０倍以上であるので、加熱空気に比べて、加熱効率が格段に優れている
という特性を有しているので、同一温度の熱風によって加熱する場合や飽和水蒸気によって加熱する場合に比べて、加熱時間を極端に短縮することができると共に、飽和水蒸気によって加熱する場合に比べて蒸気供給量を少なくすることができる。
【００４１】
また、飽和水蒸気は容易に凝縮して、潜熱（蒸発のエンタルピー）を放出してしまうが、過熱水蒸気はそのエンタルピーの一部が減少するだけで、飽和温度に低下するまでは、まったく凝縮することがないので、飽和水蒸気による加熱を行う場合とは異なり、封緘材やビア樽の表面に水滴が付着することがないという効果もある。
【００４２】
また、過熱水蒸気を採用する場合は、飽和水蒸気を発生させるボイラーを備えた飽和水蒸気発生ユニットから送出される飽和水蒸気を常圧で加熱することによって１５０〜１８０℃の過熱水蒸気（常圧過熱水蒸気）を生成する電磁誘導加熱方式の過熱水蒸気生成ユニットを設置することになる。
【００４３】
また、上述した実施形態では、封緘材Ｓとして正方形の２軸延伸フィルムを使用しているが、これに限定されるものではなく、円形等、口部の形状に合わせて種々の形状のものを採用することができる。正方形の封緘材の場合は、長尺帯状の封緘材形成基材を切断加工することによって封緘材を形成する際に材料カスが発生しないという利点があると共に、コーナー部を開封用の摘み部として使用することができるので、開封用の摘み部を別途形成しなくてもよいという利点がある。また、円形状の封緘材の場合は、長尺帯状の封緘材形成基材をトリミングして封緘材を形成する際に材料カスが発生するという問題はあるが、装着状態の見栄えが良いという利点がある。
【００４４】
また、上述した実施形態では、封緘材Ｓを、厚さが３０μｍ、熱収縮率が５２％のポリエチレンテレフタレートフィルムによって形成しているが、これに限定されるものではなく、塩化ビニル、ポリエチレン、ポリプロピレン、ポリエステル、アイオノマ樹脂、ポリアミド等、種々の合成樹脂材料によって形成することができ、厚さは３０〜１００μｍ、熱収縮率は１０〜８０％の範囲内の２軸延伸フィルム（複層フィルムも含む）を適宜使用すればよい。
【００４５】
また、上述した実施形態では、ビア樽Ｂの口部ＭＰの封緘について説明したが、これに限定されるものではなく、本発明は、種々の容器の口部の封緘に適用することができることはいうまでもない。
【産業上の利用可能性】
【００４６】
本発明は、突出した容器の口部を覆うように、フラットな熱収縮性フィルムを装着することで、容器の口部を封緘する場合に利用することができる。
【符号の説明】
【００４７】
１  封緘システム
１０  封緘材供給装置
１０Ａ  支持板
１１  連続送出ユニット
１２  アキュムレータ
１３  ミシン目形成ユニット
１４  間欠送出ユニット
１５  切断ユニット
１６  ベルト搬送ユニット
１７  マークセンサ
１８  ミシン目位置調整ユニット
１９  繋ぎ目検出ユニット
２０  ビア樽搬送装置
２１  搬送コンベア
２２  ストッパユニット
２３  回動アーム
２４  ローラ部材
３０  封緘材移送装置
３１  ベース部材
３２  シリンダユニット
３２ａ  作動部
３３  吸引管
３４  吸引ヘッド
４０  封緘装置
４１  ベース部材
４２  シリンダユニット
４２ａ  作動部
４３  蒸気供給管
４４  加熱ヘッド
４４ａ  蒸気吐出孔
４４ｂ  切欠部
４５  外壁
４６  内壁
４６ａ  内周壁（規制部）
Ｂ  ビア樽
ＭＰ  口部
Ｓ  封緘材
【図１】
2013082470.tif 000003
【図２】
2013082470.tif 000004
【図３】
2013082470.tif 000005
【図４】
2013082470.tif 000006
【図５】
2013082470.tif 000007
【図６】
2013082470.tif 000008
【図７】
2013082470.tif 000009
【図８】
2013082470.tif 000010
【図９】
2013082470.tif 000011
【図１０】
2013082470.tif 000012
【図１１】
2013082470.tif 000013